【手続補正書】
【提出日】平成20年12月4日(2008.12.4)
【手続補正１】
【補正対象書類名】特許請求の範囲
【補正対象項目名】全文
【補正方法】変更
【補正の内容】
【特許請求の範囲】
【請求項１】
ピクセル出力線に結合されたピクセルと、
前記ピクセル出力線上の前記ピクセルからのピクセルリセット電圧を受け取り格納するとともに、この前記格納したピクセルリセット電圧をパラメータとして用いて、前記ピクセル出力線上のピクセルリセット電圧をまえもって決められた最小電圧よりも高く維持するように前記ピクセル出力線上のリセット電圧レベルを制御する回路と
を含む画像装置。
【請求項２】
前記回路は更に、前記格納した前記ピクセルリセット電圧に電圧を加えて制御信号を生成する電圧供給部を含む請求項１に記載の画像装置。
【請求項３】
前記回路は更に、前記出力線へ印加される電圧を制御する電圧制御部を有する請求項１に記載の画像装置。
【請求項４】
前記出力線はピクセルアレイの列線である請求項１に記載の画像装置。
【請求項５】
前記回路は更に、前記ピクセルリセット電圧を格納するキャパシタを含む請求項１に記載の画像装置。
【請求項６】
前記回路は更に、前記格納したリセット電圧に、設定した最小リセット電圧レベルと前記ピクセル出力線上の前記制御されたピクセルリセット電圧との間のまえもって決められた差を維持するのに十分な電圧を加える電圧維持部を含む請求項１に記載の画像装置。
【請求項７】
前記回路は、
格納キャパシタと、
前記出力線を前記格納キャパシタに選択的に結合するスイッチと、
前記出力線をバイアスして前記線上のリセット電圧レベルを制御するトランジスタであって、前記トランジスタのゲートが前記格納キャパシタに結合されているものと、
追加の電圧を前記格納キャパシタに切換え可能に供給する切換え可能な電圧源と、
を含む請求項１に記載の画像装置。
【請求項８】
前記切換え可能な電圧源は、
複数の電圧源線と、
選択された電圧源線を前記格納キャパシタに選択的に結合するスイッチと
を含む請求項７に記載の画像装置。
【請求項９】
前記ピクセル出力線は、更に前記ピクセルからピクセル出力信号を受け取り、前記出力線が前記ピクセル出力信号を受け取る前に、前記スイッチが、前記まえもって決められた最小電圧よりも高い第１電圧を有する第１の電圧線を前記キャパシタに選択的に結合する請求項８に記載の画像装置。
【請求項１０】
前記トランジスタは電圧供給線に結合され、前記電圧供給線から前記出力線への電圧の供給を前記格納キャパシタにおける電圧に応答して、選択的に制御する請求項７に記載の画像装置。
【請求項１１】
前記回路は、
格納キャパシタと、
前記格納キャパシタを選択的に充電する第１トランジスタと、
前記第１トランジスタを前記格納キャパシタに選択的に結合するスイッチと、
前記出力線をバイアスして前記線上のリセット電圧レベルを制御する第２トランジスタであって、前記トランジスタのゲートが前記格納キャパシタに結合されているものと、
前記格納キャパシタに追加の電圧を切換え可能に供給する切換え可能な電圧源と、
を含む請求項１に記載の画像装置。
【請求項１２】
前記回路は、
格納キャパシタと、
前記格納キャパシタを選択的に充電する第１トランジスタと、
この第１トランジスタを前記格納キャパシタに選択的に結合する第１スイッチと、
前記出力線をバイアスして前記線上のリセット電圧レベルを制御する第２トランジスタであって、前記第２のトランジスタのゲートが前記格納キャパシタに結合されているものと、
前記格納キャパシタが充電されている間、サージ電流を防止する第２スイッチと、
前記格納キャパシタに追加の電圧を切換え可能に供給する切換え可能な電圧源と、
を含む請求項１に記載の画像装置。
【請求項１３】
画像装置を動作する方法であって出力線上のピクセルからのピクセルリセット電圧を受け取り格納し、前記格納したピクセルリセット電圧をパラメータとして用いて、前記ピクセル出力線上のピクセルリセット電圧をまえもって決められた最小電圧よりも高く維持するように前記出力線上のリセット電圧レベルを制御するステップ
を含む方法。
【請求項１４】
更に、前記格納したリセット電圧に電圧を加えて制御信号を生成するステップを含む請求項１３に記載の画像装置動作方法。
【請求項１５】
更に、前記ピクセル出力線へ印加する電圧を制御するステップを含む請求項１３に記載
の画像装置動作方法。
【請求項１６】
前記出力線をピクセルアレイの列線とする請求項１３に記載の画像装置動作方法。
【請求項１７】
更に、前記ピクセルリセット電圧をキャパシタに格納するステップを含む請求項１３に記載の画像装置動作方法。
【請求項１８】
前記格納したリセット電圧に、設定した最小リセット電圧レベルと前記出力線上の前記制御されたリセット電圧との間のまえもって決められた差を維持するのに十分な電圧を加えるステップを含む請求項１３に記載の画像装置動作方法。
【請求項１９】
更に、
前記出力線を格納キャパシタに選択的に結合し、
前記出力線をバイアスして、前記出力線上のリセット電圧レベルをトランジスタで制御し、前記トランジスタのゲートが前記格納キャパシタに結合され、
切換え可能な電圧源により前記格納キャパシタに追加の電圧を切換え可能に供給する、
各ステップを含む請求項１３に記載の画像装置動作方法。
【請求項２０】
更に、
前記ピクセルからピクセル出力信号を受け取り、前記出力線が前記ピクセル出力信号を受け取る前に、前記まえもって決められた最小電圧よりも高い第１電圧を有する第１電圧源線を前記格納キャパシタに選択的に結合するステップ
を含む請求項１９に記載の画像装置動作方法。
【請求項２１】
更に、
第１トランジスタにより、前記格納キャパシタを選択的に充電し、
スイッチにより、前記第１トランジスタを前記格納キャパシタに選択的に結合し、
前記出力線をバイアスして第２トランジスタによりリセット電圧レベルを制御し、前記第２のトランジスタのゲートが前記格納キャパシタに結合され、
切換え可能な電圧源により前記格納キャパシタに追加の電圧を切換え供給する、
各ステップを含む請求項１３に記載の画像装置動作方法。
【請求項２２】
更に、
第１トランジスタにより、前記格納キャパシタを選択的に充電し、
第１スイッチにより、前記第１トランジスタを前記格納キャパシタに選択的に結合し、
前記出力線をバイアスして第２トランジスタにより、リセット電圧レベルを制御し、前記トランジスタのゲートが前記格納キャパシタに結合され、
前記格納キャパシタが充電している間、第２スイッチにより、サージ電流の流れを防止し、
切換え可能な電圧源により前記格納キャパシタに追加の電圧を切換え可能に供給する、
各ステップを含む請求項１３に記載の画像装置動作方法。
【請求項２３】
ピクセル出力線に結合されたピクセルを形成し、
前記ピクセル出力線に上の前記ピクセルからのピクセルリセット電圧を受け取り格納するとともに、この格納したピクセルリセット電圧をパラメータとして用いて、前記ピクセル出力線上の前記ピクセルリセット電圧をまえもって決められた最小電圧よりも高く維持するように前記出力線上のリセット電圧レベルを制御する、
各ステップを含む画像装置ピクセル形成方法。
【請求項２４】
回路を形成する前記ステップは更に、前記格納したピクセルリセット電圧に電圧を加え
て、制御信号を生じる電圧供給部を形成するステップを含む請求項２３に記載の画像装置ピクセル形成方法。
【請求項２５】
回路を形成する前記ステップは更に、前記出力線への印加される電圧を制御する電圧制御部を形成することを含む請求項２３に記載の画像装置ピクセル形成方法。
【請求項２６】
回路を形成する前記ステップは更に、前記出力線をピクセルアレイの列線として形成することを含む請求項２３に記載の画像装置ピクセル形成方法。
【請求項２７】
回路を形成する前記ステップが更に、前記ピクセルリセット電圧を格納するキャパシタを形成することを含む請求項２３に記載の画像装置ピクセル形成方法。
【請求項２８】
回路を形成する前記ステップが更に、格納した前記ピクセルリセット電圧に、設定した最小リセット電圧レベルと前記ピクセル出力線上の制御された前記ピクセルリセット電圧との間の差を予め決定した値に維持するのに充分な電圧を加える電圧維持部分を形成する工程を含む請求項２３に記載の画像装置ピクセル形成方法。
【請求項２９】
回路を形成する前記ステップが更に、
格納キャパシタを形成し、
前記出力線を前記格納キャパシタに選択的に結合するスイッチを形成し、
前記出力線をバイアスして前記線上のリセット電圧レベルを制御するトランジスタであって、前記トランジスタのゲートが前記格納キャパシタに結合されているものを形成し、
前記格納キャパシタに追加の電圧を切換え可能に供給する切換え可能な電圧源を形成する、
各ステップを含む請求項２３に記載の画像装置ピクセル形成方法。
【請求項３０】
切換え可能な電圧源を形成する前記ステップは、
複数の電圧源線を形成し、
選択された電圧源線を前記格納キャパシタに選択的に結合するスイッチを形成すること、
を含む請求項２９に記載の画像装置ピクセル形成方法。
【請求項３１】
前記出力線が前記ピクセルからピクセル出力信号を受け取るように形成され、前記出力線が前記ピクセル出力信号を受け取る前に、前記まえもって決められた最小電圧よりも高い第１電圧を有する第１電圧源線をキャパシタに選択的に結合するように前記スイッチが形成される請求項３０に記載の画像装置ピクセル形成方法。
【請求項３２】
トランジスタを形成する前記ステップが、前記トランジスタが電圧供給線に結合され、前記電圧供給線から前記出力線への電圧の供給を前記格納キャパシタにおける電圧に応答して、選択的に制御するように前記トランジスタを形成することを含む請求項２９に記載の画像装置ピクセル形成方法。
【請求項３３】
回路を形成する前記ステップが更に、
格納キャパシタを形成し、
前記格納キャパシタを選択的に充電する第１トランジスタを形成し、
前記第１トランジスタを前記格納キャパシタに選択的に結合するスイッチを形成し、
前記出力線をバイアスして前記線上のリセット電圧レベルを制御する第２トランジスタであって、前記トランジスタのゲートが前記格納キャパシタに結合されているものを形成し、
前記格納キャパシタに追加の電圧を切換え可能に供給する切換え可能な電圧源を形成す
ることと、
を含む請求項２３に記載の画像装置ピクセル形成方法。
【請求項３４】
回路を形成する前記ステップが更に、
格納キャパシタを形成し、
前記格納キャパシタを選択的に充電する第１トランジスタを形成し、
前記第１トランジスタを前記格納キャパシタに選択的に結合する第１スイッチを形成し、
前記出力線をバイアスして前記線上のリセット電圧レベルを制御する第２トランジスタであって、前記トランジスタのゲートが前記格納キャパシタに結合されているものを形成し、
前記格納キャパシタが充電されている間、サージ電流の流れを防止する第２スイッチを形成し、
前記格納キャパシタに追加の電圧を切換え可能に供給する切換え可能な電圧源を形成すること、
を含む請求項２３に記載の画像装置ピクセル形成方法。
【請求項３５】
ピクセルリセット電圧を供給するピクセルと、
前記ピクセルリセット電圧をモニタし、前記モニタしたピクセルリセット電圧に応答して、公称電圧で開始し、次に前記ピクセルの出力が読出されるまで差をまえもって決められた最小電圧よりも高く維持するように増大する波形を有する電圧を前記線上に生じる回路と、
を含む画像装置。
【請求項３６】
ピクセルリセット電圧を供給し、
前記ピクセルリセット電圧をモニタし、モニタしたピクセルリセット電圧に応答して、公称電圧で開始し、次に前記ピクセルの出力が読出されるまで差をまえもって決められた最小電圧よりも高く維持するように増大する波形を有する電圧を前記線上に生じること、
を含む画像装置動作方法。
【手続補正２】
【補正対象書類名】図面
【補正対象項目名】図１
【補正方法】変更
【補正の内容】
【図１】
2008544656.tif 000001
【手続補正３】
【補正対象書類名】図面
【補正対象項目名】図２
【補正方法】変更
【補正の内容】
【図２】
2008544656.tif 000002
【手続補正４】
【補正対象書類名】図面
【補正対象項目名】図３Ａ
【補正方法】変更
【補正の内容】
【図３Ａ】
2008544656.tif 000003
【手続補正５】
【補正対象書類名】図面
【補正対象項目名】図３Ｂ
【補正方法】変更
【補正の内容】
【図３Ｂ】
2008544656.tif 000004
【手続補正６】
【補正対象書類名】図面
【補正対象項目名】図３Ｃ
【補正方法】変更
【補正の内容】
【図３Ｃ】
2008544656.tif 000005